(57)【要約】【課題】  Ｗｅｂサーバの運用を移動局側に集約してコンテンツ更新の容易性および運用コストの削減を担保しつつ、耐タンパー性に長け小グループ内における安全な情報公開を行う。【解決手段】  本発明の無線通信方法では、任意の移動局１１０Ａは、Ｗｅｂ移動局１１０ＢのＷｅｂサーバに接続要求を行い、Ｗｅｂ移動局は、接続要求に応じて任意の移動局に接続応答を行い、認証移動局１１０Ｃは、任意の移動局が有するアクセスキーに基づいて任意の移動局を認証し、任意の移動局が認証されると、認証移動局は、Ｗｅｂ移動局が有するアクセスキーに基づいてＷｅｂ移動局を認証し、Ｗｅｂ移動局が認証されると、任意の移動局とＷｅｂ移動局とは、ＨＴＴＰを用いた通信接続を確立することを特徴とする。【選択図】    図５
2009182380.tif 000002
【特許請求の範囲】
【請求項１】
Ｗｅｂサーバとして機能するＷｅｂ移動局、および他の移動局を認証する認証移動局を含む複数の移動局が、基地局との無線通信を通じてＨＴＴＰを用いた通信を遂行する無線通信方法であって、
任意の移動局は、前記Ｗｅｂ移動局のＷｅｂサーバに接続要求を行い、
前記Ｗｅｂ移動局は、前記接続要求に応じて前記任意の移動局に接続応答を行い、
前記任意の移動局は前記認証移動局に認証を要求し、
前記認証移動局は、前記任意の移動局が有するアクセスキーに基づいて該任意の移動局を認証し、
前記任意の移動局が認証されると、前記Ｗｅｂ移動局は前記認証移動局に認証を要求し、
前記認証移動局は、前記Ｗｅｂ移動局が有するアクセスキーに基づいて該Ｗｅｂ移動局を認証し、
前記Ｗｅｂ移動局が認証されると、前記任意の移動局とＷｅｂ移動局とは、ＨＴＴＰを用いた通信接続を確立することを特徴とする無線通信方法。
【請求項２】
前記認証は、
前記認証移動局が、前記任意の移動局またはＷｅｂ移動局に演算数値と演算方法を送信し、
前記任意の移動局またはＷｅｂ移動局が、自体が有するアクセスキーと前記演算数値とを前記演算方法によって演算し、その演算結果を前記認証移動局に送信し、
前記認証移動局が、前記演算結果の正否を判断することによって為されることを特徴とする請求項１に記載の無線通信方法。
【請求項３】
前記認証移動局が複数設定されている場合、
前記複数の移動局は、前記複数の認証移動局の認証順を記した認証順リストをそれぞれ有し、
前記任意の移動局またはＷｅｂ移動局は、前記アクセスキーに基づく認証が為されるまで、前記認証順リストに従って順次認証移動局に認証を要求することを特徴とする請求項１または２に記載の無線通信方法。
【請求項４】
前記任意の移動局またはＷｅｂ移動局は、前記認証順リストに記された全ての認証移動局と前記基地局を介した通信接続が不能な場合、前記基地局を介さない近距離無線通信を用いて認証移動局に認証を要求することを特徴とする請求項３に記載の無線通信方法。
【請求項５】
前記任意の移動局は、前記Ｗｅｂ移動局と前記基地局を介した通信接続が不能な場合、前記基地局を介さない近距離無線通信を用いて前記Ｗｅｂ移動局との通信接続を試みることを特徴とする請求項１から４のいずれか１項に記載の無線通信方法。
【請求項６】
Ｗｅｂサーバとして機能するＷｅｂ移動局および他の移動局を認証する認証移動局を含む複数の移動局と、基地局とを含み、該基地局との無線通信を通じて該移動局同士のＨＴＴＰを用いた通信が可能な無線通信システムであって、
任意の移動局は、
前記Ｗｅｂ移動局のＷｅｂサーバに接続要求を行う接続要求部と、
自体が有するアクセスキーに基づいて前記認証移動局に認証を要求する任意認証要求部と、
前記認証移動局から認証を得た後、前記Ｗｅｂ移動局が認証されるのを待って該Ｗｅｂ移動局とＨＴＴＰを用いた通信接続を確立する任意通信確立部と、
を備え、
前記Ｗｅｂ移動局は、
前記任意の移動局からの接続要求に応じて前記任意の移動局に接続応答を行う接続応答部と、
自体が有するアクセスキーに基づいて前記認証移動局に認証を要求するＷｅｂ認証要求部と、
前記認証移動局から認証を得た後、前記任意の移動局とＨＴＴＰを用いた通信接続を確立するＷｅｂ通信確立部と、
を備え、
前記認証移動局は、
前記任意の移動局が有するアクセスキーに基づいて該任意の移動局を認証する任意認証部と、
前記Ｗｅｂ移動局が有するアクセスキーに基づいて該Ｗｅｂ移動局を認証するＷｅｂ認証部と、
を備えることを特徴とする無線通信システム。
【発明の詳細な説明】
【技術分野】
【０００１】
本発明は、移動局間でＨＴＴＰを用いた通信を遂行する無線通信方法および無線通信システムに関する。
【背景技術】
【０００２】
近年、ＰＨＳ(Personal Handy phone System)や携帯電話等の無線通信機能を有した移動局が普及し、その小型化、軽量化と共に通信速度および通信品質も高くなってきた。また、このようなハードウェアの高機能化に伴って、単純な通話機能に加え、メール送受信機能、撮像機能、音楽再生機能、Ｗｅｂ閲覧機能、ＴＶ視聴機能も遂行可能となってきた。中でも、Ｗｅｂ閲覧機能は、ユーザのニーズに対してリアルタイムかつ簡易的に対応できる点で移動局に非常に適した機能ということができる。
【０００３】
一般にＷｅｂ閲覧は、Ｗｅｂブラウザを用い、通信網に接続されたＷｅｂサーバからＨＴＴＰ（Hyper Text Transport Protocol）に従ってＷｅｂコンテンツ（掲示板、ブログ等）を取得することを言う。しかし、このようなＷｅｂサーバは設置や管理にコストを費やすため、ユーザは、インターネット接続業者（ＩＳＰ：Internet Services Provider、以下単にＩＳＰと言う。）の提供するディスクスペースを利用して自己のホームページを開設したりしている。何れにしても、このような情報発信を行う場合、Ｗｅｂサーバ内に開設するＷｅｂコンテンツの作成、更新は、そのＷｅｂサーバに直接アクセスして行わなければならず、煩雑な処理を伴っていた。
【０００４】
そこで、Ｗｅｂサーバ機能を移動局自体に搭載する技術が検討されている。例えば、特許文献１には、コンテンツサーバの機能を有する移動局（移動機）が記載され、コンテンツの変更をリアルタイムに行うことが開示されている。また、移動体通信システム網の有線領域に移動機認証装置を設置して移動機の使用可否を認可している。
【特許文献１】特開２００２−２４４９５６号公報
【発明の開示】
【発明が解決しようとする課題】
【０００５】
従来一家に一台であった電話機も昨今では各個人がそれぞれ所有するようになり、Ｗｅｂ閲覧を始め様々な機能を個人で楽しめるようになってきた。また、誰もが閲覧可能な公のＷｅｂコンテンツによる情報共有のみならず、目的や行動を共にする小グループ間のみの閉じられた通信環境での情報共有の要望も散見されるようになってきた。このような小グループでは、そのグループ特有の情報をグループ内でのみ閲覧可能なＷｅｂページに公開するシステムが望まれる。
【０００６】
しかし、ＩＳＰを通じたＷｅｂサーバでは、上述したようにコンテンツの作成、更新において煩雑な処理を伴っていた。また、このようなＷｅｂサーバは、ユーザを制限することが想定されていないので、小グループのみのアクセスに制限するのが面倒であった。さらに、上述したＷｅｂサーバ機能を移動局自体に搭載する技術では認証装置が設けられているが、その配置は有線領域に限られＩＳＰの利用が余儀なくされるので、厳格な管理が困難な小グループにはその技術は馴染まなかった。
【０００７】
本発明は、このような課題に鑑み、Ｗｅｂサーバの運用を移動局側に集約してコンテンツ更新の容易性および運用コストの削減を担保しつつ、耐タンパー性に長け小グループ内における安全な情報公開が可能な無線通信方法および無線通信システムを提供することを目的としている。
【課題を解決するための手段】
【０００８】
上記課題を解決するために、本発明の代表的な構成は、Ｗｅｂサーバとして機能するＷｅｂ移動局、および他の移動局を認証する認証移動局を含む複数の移動局が、基地局との無線通信を通じてＨＴＴＰを用いた通信を遂行する無線通信方法であって、任意の移動局は、Ｗｅｂ移動局のＷｅｂサーバに接続要求を行い、Ｗｅｂ移動局は、接続要求に応じて任意の移動局に接続応答を行い、任意の移動局は認証移動局に認証を要求し、認証移動局は、任意の移動局が有するアクセスキーに基づいて任意の移動局を認証し、任意の移動局が認証されると、Ｗｅｂ移動局は認証移動局に認証を要求し、認証移動局は、Ｗｅｂ移動局が有するアクセスキーに基づいてＷｅｂ移動局を認証し、Ｗｅｂ移動局が認証されると、任意の移動局とＷｅｂ移動局とは、ＨＴＴＰを用いた通信接続を確立することを特徴とする。
【０００９】
移動局にＷｅｂサーバを搭載する構成により、自己の移動局に対して、Ｗｅｂコンテンツの作成、更新（追加、削除）を直接かつ容易に行うことができ、また、Ｗｅｂサーバを自己の移動局内で管理することでＩＳＰに頼らない低コストの運用が可能となる。また、アクセスキーや認証移動局の宛先情報がグループ内でのみ有効なので、耐タンパー性に長け、外部からの不正アクセスおよびＷｅｂサーバの成りすましを防止して小グループ内における安全な情報公開を可能にする。このような、Ｗｅｂサーバの管理容易性や低運用コスト、耐タンパー性は小グループの仲間同士による閉じたコミュニティに最適に機能する。
【００１０】
また、上記の認証は、認証移動局が、任意の移動局またはＷｅｂ移動局に演算数値と演算方法を送信し、任意の移動局またはＷｅｂ移動局が、自体が有するアクセスキーと演算数値とを演算方法によって演算し、その演算結果を認証移動局に送信し、認証移動局が、演算結果の正否を判断することによって為されてもよい。
【００１１】
かかる構成により、認証移動局は、演算数値と演算方法とをその都度任意に選択することができ、動的な認証が可能となる。従って、過去の演算結果が第三者に漏洩したとしてもその演算結果を利用しようと試みたときには認証されず、外部からの不正アクセスおよびＷｅｂサーバの成りすましを確実に防止することができる。
【００１２】
認証移動局が複数設定されている場合、複数の移動局は、複数の認証移動局の認証順を記した認証順リストをそれぞれ有し、任意の移動局またはＷｅｂ移動局は、アクセスキーに基づく認証が為されるまで、認証順リストに従って順次認証移動局に認証を要求してもよい。
【００１３】
かかる構成により、認証移動局の電源切断や圏外への移動によって認証が為されないという状況を回避することができ、所望するＷｅｂサーバへのスムーズな接続が可能となる。また、認証順リストを所定のグループ内にのみ配布することで、外部からの不正アクセスおよびＷｅｂサーバの成りすましをより厳重に防止することができ、小グループ内における安全な情報公開が可能となる。
【００１４】
任意の移動局またはＷｅｂ移動局は、認証順リストに記された全ての認証移動局と基地局を介した通信接続が不能な場合、基地局を介さない近距離無線通信を用いて認証移動局に認証を要求してもよい。また、任意の移動局は、Ｗｅｂ移動局と基地局を介した通信接続が不能な場合、基地局を介さない近距離無線通信を用いてＷｅｂ移動局との通信接続を試みてもよい。
【００１５】
かかる構成により、対象となる認証移動局やＷｅｂ移動局が近距離にあるにも拘わらず認証やＷｅｂコンテンツの利用ができないといった問題を回避することができ、Ｗｅｂサーバとの通信接続をより確実に遂行することが可能となる。
【００１６】
本発明の他の構成は、Ｗｅｂサーバとして機能するＷｅｂ移動局および他の移動局を認証する認証移動局を含む複数の移動局と、基地局とを含み、基地局との無線通信を通じて移動局同士のＨＴＴＰを用いた通信が可能な無線通信システムであって、任意の移動局は、Ｗｅｂ移動局のＷｅｂサーバに接続要求を行う接続要求部と、自体が有するアクセスキーに基づいて認証移動局に認証を要求する任意認証要求部と、認証移動局から認証を得た後、Ｗｅｂ移動局が認証されるのを待ってＷｅｂ移動局とＨＴＴＰを用いた通信接続を確立する任意通信確立部と、を備え、Ｗｅｂ移動局は、任意の移動局からの接続要求に応じて任意の移動局に接続応答を行う接続応答部と、自体が有するアクセスキーに基づいて認証移動局に認証を要求するＷｅｂ認証要求部と、認証移動局から認証を得た後、任意の移動局とＨＴＴＰを用いた通信接続を確立するＷｅｂ通信確立部と、を備え、認証移動局は、任意の移動局が有するアクセスキーに基づいて任意の移動局を認証する任意認証部と、Ｗｅｂ移動局が有するアクセスキーに基づいてＷｅｂ移動局を認証するＷｅｂ認証部と、を備えることを特徴とする。
【００１７】
かかる無線通信システムにより、上述した無線通信方法同様、コンテンツ更新の容易性および運用コストの削減を担保しつつ、耐タンパー性に長けた小グループ内における安全な情報公開が可能となる。
【００１８】
上述した無線通信方法おける技術的思想に対応する構成要素やその説明は、当該無線通信システムにも適用可能である。
【発明の効果】
【００１９】
以上説明したように本発明によれば、Ｗｅｂサーバの運用を移動局側に集約してコンテンツ更新の容易性および運用コストの削減を担保しつつ、耐タンパー性に長け小グループ内における安全な情報公開が可能となる。
【発明を実施するための最良の形態】
【００２０】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２１】
（無線通信システム１００）
本実施形態では、個々が有する移動局を所定グループに属する移動局と位置づけ、その所定グループによる閉じられた通信環境内での通信を実現し、特に、基地局との無線通信を通じて移動局同士のＨＴＴＰを用いた通信が可能となる。ここでは、理解を容易にするため、無線通信システム全体の構成を説明し、その後、個々の構成要素について詳述する。
【００２２】
図１は、無線通信システム１００における各装置の接続関係を示した説明図である。かかる無線通信システム１００は、複数の移動局１１０（１１０Ａ、１１０Ｂ、１１０Ｃ）と、複数の基地局１２０（１２０Ａ、１２０Ｂ、１２０Ｃ）と、ＩＳＤＮ(Integrated Services Digital Network)回線、インターネット、専用回線等で構成される通信網１３０とを含んで構成される。
【００２３】
（移動局１１０）
本実施形態においては移動局１１０としてＰＨＳ端末を挙げている。しかし、移動局１１０はＰＨＳ端末に限らず、携帯電話、ノート型パーソナルコンピュータ、ＰＤＡ（Personal Digital Assistant）、デジタルカメラ、音楽プレイヤー、カーナビゲーション、ポータブルテレビ、ゲーム機器、ＤＶＤプレイヤー、リモートコントローラ等、無線通信可能かつ電池等により単体動作可能な様々な電子機器を移動局として用いることもできる。
【００２４】
また、図１における移動局１１０Ａ、１１０Ｂ、１１０Ｃのうち、本実施形態においては、移動局１１０ＢがＷｅｂサーバとして機能し、移動局１１０Ｃが他の移動局１１０を認証する機能を有している。移動局１１０Ａ、１１０Ｂ、１１０Ｃは、同一のハードウェアで構成し得るが、移動局１１０ＢをＷｅｂサーバとして用いる場合Ｗｅｂ移動局１１０Ｂと、移動局１１０Ｃを認証機能を有する移動局として用いる場合認証移動局１１０Ｃと呼ぶ。本実施形態では、例えば、任意の移動局１１０Ａが基地局１２０Ａ、通信網１３０、基地局１２０Ｃを介して認証移動局１１０Ｃの認証を得、さらに基地局１２０Ａ、通信網１３０、基地局１２０Ｂを介してＷｅｂ移動局１１０ＢのＷｅｂコンテンツを取得している。
【００２５】
図２は、移動局１１０のハードウェア構成を示した機能ブロック図であり、図３は、移動局１１０の外観を示した斜視図である。移動局１１０は、移動局制御部１６０と、移動局メモリ１６２と、表示部１６４と、操作部１６６と、音声入力部１６８と、音声出力部１７０と、移動局無線通信部１７２とを含んで構成される。
【００２６】
移動局制御部１６０は、中央処理装置（ＣＰＵ）を含む半導体集積回路により移動局１１０全体を管理および制御する。また、移動局制御部１６０は、移動局メモリ１６２のプログラムを用いて、通話機能、メール送受信機能、撮像機能、音楽再生機能、Ｗｅｂ閲覧機能、ＴＶ視聴機能も遂行する。
【００２７】
移動局メモリ１６２は、ＲＯＭ、ＲＡＭ、ＥＥＰＲＯＭ、不揮発性ＲＡＭ、フラッシュメモリ、ＨＤＤ（Hard Disk Drive）等で構成され、移動局制御部１６０で処理されるプログラムや音声データ等を記憶する。また、本実施形態においては、所定グループ内でのみ配布されるアクセスキーや認証順リストも記憶している。
【００２８】
表示部１６４は、液晶ディスプレイ、ＥＬ(Electro Luminescence)等で構成され、移動局メモリ１６２に記憶された、または通信網１３０を介してアプリケーション中継サーバ（図示せず）から提供される、ＷｅｂブラウザやアプリケーションのＧＵＩ（Graphical User Interface）を表示することができる。
【００２９】
操作部１６６は、キーボード、十字キー、ジョイスティック等のスイッチから構成され、ユーザの操作入力を受け付ける。また、当該移動局１１０がＷｅｂサーバとして機能する場合、そのＷｅｂコンテンツの作成、更新を、操作部１６６を通じて直接行うことができる。
【００３０】
音声入力部１６８は、マイク等の音声認識手段で構成され、通話時に入力されたユーザの音声を移動局１１０内で処理可能な電気信号に変換する。
【００３１】
音声出力部１７０は、スピーカで構成され、移動局１１０で受信した通話相手の音声信号を音声に変えて出力する。また、着信音や、操作部１６６の操作音、アラーム音等も出力できる。
【００３２】
移動局無線通信部１７２は、通信網１３０における基地局１２０との無線通信を行う。このような無線通信としては、基地局１２０内でフレームを時分割した複数のタイムスロットをそれぞれ移動局１１０のチャネルに割り当てて通信を行う時分割多重方式（ＴＤＭ：Time Division Multiplex）等が採用されている。
【００３３】
また、本実施形態の移動局制御部１６０は、接続要求部１８０、任意認証要求部１８２、任意通信確立部１８４としても機能する。
【００３４】
接続要求部１８０は、Ｗｅｂサーバ機能を有する移動局（Ｗｅｂ移動局）内でその移動局１１０の電話番号や電子メールとは別に管理されるＷｅｂサーバに対して接続要求を行う。具体的に、接続要求部１８０は、自己の移動局１１０に設けられたＷｅｂブラウザから所望するＵＲＬ（Uniform Resource Locator）を指定して、そのＵＲＬにより特定されるＷｅｂ移動局１１０ＢのＷｅｂサーバにインデックスファイル（index.html等）を要求している。Ｗｅｂ移動局１１０Ｂは、かかる要求を受けてインデックスファイルを送信し、その後順次必要なファイルを送信する。しかし、本実施形態では、このような通信接続開始に認証を要するので、Ｗｅｂ移動局１１０Ｂは、接続応答のみを返信し、後述するように認証移動局１１０Ｃの認証を受けた後インデックスファイルを送信することとなる。
【００３５】
任意認証要求部１８２は、自体が有するアクセスキーに基づいて認証移動局１１０Ｃに認証を要求する。具体的に、任意認証要求部１８２は、認証移動局１１０Ｃに対して認証要求を行い、それに応じて認証移動局１１０Ｃから受信した演算数値と演算方法を参照し、自体が有するアクセスキーと演算数値とをその演算方法によって演算し、その演算結果を認証移動局１１０Ｃに送信する。その演算結果が正しければ認証移動局１１０Ｃから許可証を取得できる。かかる演算数値、演算方法、演算結果、許可証はグループ内における共通の暗号鍵によって暗号化することもできる。
【００３６】
このとき任意認証要求部１８２は、認証先となる認証移動局１１０Ｃをグループ内で共通に有する認証順リストを参照して選択している。
【００３７】
当該無線通信システム１００では、認証移動局を複数設定することができるので、グループ内の任意の移動局１１０を認証移動局として登録することができる。そして、上述した認証順リストでは、認証を行う優先順位が定められ、任意認証要求部１８２は、アクセスキーに基づく認証が為されるまで認証順リストに従って順次認証移動局に認証を試みることとなる。
【００３８】
かかる構成により、認証移動局１１０Ｃの電源切断や圏外への移動によって認証が為されないという状況を回避することができ、所望するＷｅｂサーバへのスムーズな接続が可能となる。また、認証順リストを所定のグループ内にのみ配布することで、外部からの不正アクセスおよびＷｅｂサーバの成りすましをより厳重に防止することができ、小グループ内における安全な情報公開が可能となる。
【００３９】
また、認証順リスト同様、アクセスキーも所定グループ内に属する移動局１１０にのみ配布されている。かかる構成により、そのグループによる通信環境を外部から隔離することができ、より厳重に不正なアクセスを防止することが可能となる。
【００４０】
任意通信確立部１８４は、認証移動局１１０Ｃから認証を得た（許可証を取得した）後、Ｗｅｂ移動局１１０Ｂが認証されるのを待ってＷｅｂ移動局１１０ＢとＨＴＴＰを用いた通信接続を確立する。
【００４１】
また、当該移動局１１０がＷｅｂ移動局１１０Ｂとして動作する場合、移動局制御部１６０は、さらにＩＰアドレス取得部１８６、接続応答部１８８、Ｗｅｂ認証要求部１９０、Ｗｅｂ通信確立部１９２として機能する。
【００４２】
ＩＰアドレス取得部１８６は、当該移動局１１０の起動後、無線通信システム１００に対する自体の位置登録と同時に、自体のＷｅｂサーバのＩＰアドレスを取得する。かかるＩＰアドレスは、固定ＩＰアドレスでもよいし動的ＩＰアドレスでもよい。
【００４３】
接続応答部１８８は、他の移動局１１０から自己が有するＷｅｂサーバに接続要求があった場合、まず、その接続要求を受け付けた旨のみ接続応答としてその接続要求が為された移動局１１０に返信する。
【００４４】
Ｗｅｂ認証要求部１９０は、自体が有するアクセスキーに基づいて認証移動局１１０Ｃに認証を要求する。具体的に、Ｗｅｂ認証要求部１９０は、認証移動局１１０Ｃに対して認証要求を行い、それに応じて認証移動局１１０Ｃから受信した演算数値と演算方法を参照し、自体が有するアクセスキーと演算数値とをその演算方法によって演算し、その演算結果を認証移動局１１０Ｃに送信する。その演算結果が正しければ認証移動局１１０Ｃから許可証を取得できる。
【００４５】
Ｗｅｂ通信確立部１９２は、認証移動局１１０Ｃから認証を得た（許可証を取得した）後、他の移動局１１０とＨＴＴＰを用いた通信接続を確立する。
【００４６】
さらに、当該移動局１１０が認証移動局１１０Ｃとして動作する場合、移動局制御部１６０は、さらに任意認証部１９４、Ｗｅｂ認証部１９６として機能する。
【００４７】
任意認証部１９４は、他の移動局１１０が有するアクセスキーに基づいてその他の移動局１１０を認証する。具体的に、任意認証部１９４は、他の移動局１１０からの認証要求に応じて、演算数値と演算方法とを任意にまたはランダムに選択、他の移動局１１０に送信し、さらに他の移動局１１０が返信してきた演算結果の正否を判断して、正しいと判断した場合、他の移動局１１０に許可証を送信する。ここで、演算数値は、演算に用いることが可能なあらゆる整数であり、何進数であるかを問わない。また、演算方法は、加算、減算、乗算、除算や論理演算（論理積、論理和、排他的論理和）等様々な整数の計算方法を含み、演算方法の伝達は、その演算方法を識別可能な識別子を送信することによって為される。また、かかる演算数値や演算方法は任意通信確立部１８４とＷｅｂ通信確立部１９２とによる通信接続が確立してからその通信接続が終了するまで有効である。
【００４８】
Ｗｅｂ認証部１９６は、任意認証部１９４同様の動作によって、Ｗｅｂ移動局１１０Ｂが有するアクセスキーに基づいてＷｅｂ移動局１１０Ｂを認証する。
【００４９】
かかる任意認証部１９４やＷｅｂ認証部１９６の構成により、認証移動局１１０Ｃは演算数値と演算方法とをその都度任意に選択することができ、動的な認証が可能となる。従って、過去の演算結果が第三者に漏洩したとしてもその演算結果を利用しようと試みたときには認証されず、外部からの不正アクセスおよびＷｅｂサーバの成りすましを確実に防止することができる。
【００５０】
また、任意認証部１９４やＷｅｂ認証部１９６による認証は、アクセスキーの対比のみならず、発信元となる移動局の電話番号も確認するとしてもよい。かかる構成により当該対象となるグループにおいて電話番号を登録している場合、それ以外の不正なユーザからのアクセスをより確実に防止することが可能となる。
【００５１】
上述した移動局１１０が所定のグループ内でそれぞれＷｅｂ移動局１１０Ｂや認証移動局１１０Ｃとして機能することで、閉ざされた通信環境でのＷｅｂコンテンツの交換が可能となる。
【００５２】
（基地局）
図４は、基地局１２０の概略的な構成を示したブロック図である。基地局１２０は、基地局制御部２１０と、基地局メモリ２１２と、基地局無線通信部２１４と、基地局有線通信部２１６とを含んで構成される。
【００５３】
基地局制御部２１０は、中央処理装置（ＣＰＵ）を含む半導体集積回路により基地局１２０全体を管理および制御する。また、基地局制御部２１０は、基地局メモリ２１２のプログラムを用いて、移動局１１０の通信網１３０や他の移動局１１０への通信接続を制御する。
【００５４】
基地局メモリ２１２は、ＲＯＭ、ＲＡＭ、ＥＥＰＲＯＭ、不揮発性ＲＡＭ、フラッシュメモリ、ＨＤＤ等で構成され、基地局制御部２１０で処理されるプログラムや時刻情報等を記憶する。
【００５５】
基地局無線通信部２１４は、移動局１１０との通信を確立し、移動局１１０の通信品質に応じて、変調方式やコーデックを適応的に変更することもできる。
【００５６】
基地局有線通信部２１６は、通信網１３０を介してアプリケーション中継サーバを含む様々なサーバと接続することができる。
【００５７】
以上説明した無線通信システム１００では、移動局１１０にＷｅｂサーバを搭載する構成により、自己の移動局１１０に対して、Ｗｅｂコンテンツの作成、更新（追加、削除）を直接かつ容易に行うことができ、また、Ｗｅｂサーバを自己の移動局１１０内で管理することでＩＳＰに頼らない低コストの運用が可能となる。さらに、アクセスキーや認証移動局の宛先情報がグループ内でのみ有効なので、耐タンパー性に長け、外部からの不正アクセスおよびＷｅｂサーバの成りすましを防止して小グループ内における安全な情報公開を可能にする。このような、Ｗｅｂサーバの管理容易性や低運用コスト、耐タンパー性は小グループの仲間同士による閉じたコミュニティに最適に機能する。かかる無線通信システム１００を用いて、移動局１１０が、基地局１２０との無線通信を通じてＨＴＴＰを用いた通信を遂行する無線通信方法を以下に詳述する。
【００５８】
（無線通信方法）
図５は、無線通信方法の処理の流れを示したシーケンス図である。ここでは、任意の移動局１１０Ａが認証移動局１１０Ｃの認証を得てＷｅｂ移動局１１０ＢのＷｅｂコンテンツを取得する動作が示されている。ここでは、全ての移動局１１０に対して事前にアクセスキー、例えば「１２３４Ａ（１６進数）」が配布されている。
【００５９】
移動局１１０Ａは、自己の移動局１１０ＡにおいてＷｅｂブラウザを立ち上げ（Ｓ３００）、特定のＵＲＬによってグループ内の所望するＷｅｂ移動局１１０ＢのＷｅｂサーバを指定し、接続要求を行う（Ｓ３０２）。Ｗｅｂ移動局１１０Ｂは、かかる接続要求を受け付けた旨、接続応答として移動局１１０Ａに返信する（Ｓ３０４）。
【００６０】
移動局１１０Ａは、Ｗｅｂ移動局１１０Ｂの接続応答によりＷｅｂ移動局１１０ＢのＷｅｂコンテンツを参照することが可能なことを把握し、そのＷｅｂコンテンツを取得するための認証動作を開始する。
【００６１】
移動局１１０Ａは、認証順リストを参照して認証を行う認証移動局１１０Ｃを選択した後、その認証移動局１１０Ｃに認証要求を行う（Ｓ３０６）。認証移動局１１０Ｃは、その認証要求に応じて演算数値と演算方法、例えば、演算数値「１（１６進数）」と演算方法「加算」とを選択し、移動局１１０Ａに送信する（Ｓ３０８）。移動局１１０Ａは、演算数値と演算方法を受信すると、自体が有するアクセスキー、例えば「１２３４Ａ（１６進数）」に演算数値「１」を演算方法に従って「加算」し（Ｓ３１０）、その演算結果である「１２３４Ｂ（１６進数）」を認証移動局１１０Ｃに送信する（Ｓ３１２）。認証移動局１１０Ｃは、その演算結果「１２３４Ｂ（１６進数）」が想定している演算結果と一致しているかどうか判断して（Ｓ３１４）、一致していれば通信の許可証を移動局１１０Ａに発行する（Ｓ３１６）。移動局１１０Ａは、自体が許可証を取得した旨、Ｗｅｂ移動局１１０Ｂに通知して、Ｗｅｂ移動局１１０Ｂの認証を促す（Ｓ３１８）。
【００６２】
続いてＷｅｂ移動局１１０Ｂは、移動局１１０Ａ同様、認証順リストを参照して認証を行う認証移動局１１０Ｃを選択した後、その認証移動局１１０Ｃに認証要求を行う（Ｓ３２０）。認証移動局１１０Ｃは、その認証要求に応じて演算数値と演算方法、例えば、演算数値「２（１６進数）」と演算方法「乗算」とを選択し、Ｗｅｂ移動局１１０Ｂに送信する（Ｓ３２２）。Ｗｅｂ移動局１１０Ｂは、演算数値と演算方法を受信すると、自体が有するアクセスキー、例えば「１２３４Ａ（１６進数）」に演算数値「２」を演算方法に従って「乗算」し（Ｓ３２４）、その演算結果である「２４７４（１６進数）」を認証移動局１１０Ｃに送信する（Ｓ３２６）。認証移動局１１０Ｃは、その演算結果「２４７４（１６進数）」が想定している演算結果と一致しているかどうか判断して（Ｓ３２８）、一致していれば通信の許可証をＷｅｂ移動局１１０Ｂに発行する（Ｓ３３０）。この時点で認証移動局１１０Ｃは、認証処理を終了し、移動局１１０ＡとＷｅｂ移動局１１０Ｂとの通信接続から解放される。Ｗｅｂ移動局１１０Ｂは、自体が許可証を取得すると、移動局１１０ＡとのＨＴＴＰを用いた通信接続を確立する（Ｓ３３２）。
【００６３】
ここでは、各移動局１１０Ａ、１１０Ｂ、１１０Ｃがそれぞれ機能を異にしているが、全ての移動局１１０が、通常の移動局１１０Ａ、Ｗｅｂ移動局１１０Ｂ、認証移動局１１０Ｃとして機能することができ、また、複数の機能を同時に遂行することも可能である。さらに、一つの移動局１１０が２以上の機能を同時に遂行する場合、同一移動局同士の認証を省略することもできる。
【００６４】
任意のユーザが上述した所定のグループに入る場合、そのグループの管理者からアクセスキーと認証順リストを取得する。すると、Ｗｅｂ閲覧およびＷｅｂ公開が可能になる。しかし、認証機能に関しては、さらに信頼のおけるユーザにのみ演算数値と演算方法の選定プログラムを配布するのが望ましい。こうしてより厳重に不正なアクセスを防止することができる。
【００６５】
図６は、無線通信方法の他の処理の流れを示したシーケンス図である。ここでも、移動局１１０Ａが認証移動局１１０Ｃの認証を得てＷｅｂ移動局１１０ＢのＷｅｂコンテンツを取得する動作が示されている。ただし、認証移動局１１０Ｃが圏外にあって通信不能な状態であるとする。
【００６６】
移動局１１０Ａは、自己の移動局１１０においてＷｅｂブラウザを立ち上げ（Ｓ３００）、Ｗｅｂ移動局１１０Ｂに接続要求を行う（Ｓ３０２）。Ｗｅｂ移動局１１０Ｂは、かかる接続要求を受け付けた旨、接続応答として移動局１１０Ａに返信する（Ｓ３０４）。
【００６７】
移動局１１０Ａは、Ｗｅｂ移動局１１０Ｂの接続応答を受けて認証動作を開始する。移動局１１０Ａは、認証順リストを参照して認証を行う認証移動局１１０Ｃを選択した後、その認証移動局１１０Ｃに認証要求を行う（Ｓ３０６）。ここで、認証移動局１１０Ｃが通信不能であり、認証が果たされない状況であることを移動局１１０Ａが把握すると、移動局１１０Ａは認証順リストで２番目に優先順位の高い認証移動局１１０Ｄに認証要求を行う（Ｓ３５０）。認証移動局１１０Ｄは、その認証要求に応じて演算数値と演算方法とを移動局１１０Ａに送信する（Ｓ３０８）。その後の処理は認証移動局が相異する以外図５で説明した処理と等しいので、ここではその詳細な説明を省略する。こうして、特定の認証移動局１１０Ｃの通信状況に拘わらず、Ｗｅｂサーバ１１０Ｂとの通信接続をより確実に遂行することが可能となる。
【００６８】
一方、認証順リストに記された全ての認証移動局またはＷｅｂ移動局と通信接続が不能な場合、移動局１１０は、基地局１２０を介さない近距離無線通信を用いて通信接続を試みることもできる。
【００６９】
図７は、無線通信方法の他の処理の流れを示したシーケンス図である。ここでは、移動局１１０ＡがＷｅｂ移動局１１０ＢのＷｅｂコンテンツを取得しようと試みている。
【００７０】
移動局１１０Ａは、自己の移動局１１０においてＷｅｂブラウザを立ち上げ（Ｓ３００）、Ｗｅｂ移動局１１０Ｂに接続要求を行う（Ｓ３０２）。このとき、移動局１１０ＡもしくはＷｅｂ移動局１１０Ｂが基地局１２０と通信ができない状況であれば、その接続要求がＷｅｂ移動局１１０Ｂに到達することはない。
【００７１】
しかし、例えば、移動局１１０ＡとＷｅｂ移動局１１０Ｂとが近距離無線通信可能な距離にある場合において通信接続ができないのは不合理である。そこで、本実施形態における移動局１１０Ａは、近距離無線通信によってＷｅｂ移動局１１０Ｂとの通信を確立することができる（Ｓ４００）。かかる動作は、認証移動局１１０Ｃについても同様のことが言える。ここで近距離無線通信は、Ｂｕｌｅｔｏｏｔｈ、無線ＬＡＮ、赤外線通信、ＺｉｇＢｅｅ、ＡＰＡＮ（Wireless Personal Area Network）、ＮＦＣ（Near Field Communication）等既存の様々な方式を採用することができる。
【００７２】
かかる構成により、対象となる認証移動局やＷｅｂ移動局が近距離にあるにも拘わらず認証やＷｅｂコンテンツの利用ができないといった問題を回避することができ、Ｗｅｂサーバとの通信接続をより確実に遂行することが可能となる。また、近距離無線通信は、その通信距離が制限され、通信相手を確認しつつ通信を行うことができるので、移動局同士が認証を経ずにＷｅｂコンテンツを取得したとしても、それが正当なアクセスであることを確認することが可能である。
【００７３】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７４】
なお、本明細書の無線通信方法における各工程は、必ずしもシーケンス図として記載された順序に沿って時系列に処理する必要はなく、並列的あるいは個別に実行される処理（例えば、並列処理あるいはオブジェクトによる処理）も含むとしても良い。
【産業上の利用可能性】
【００７５】
本発明は、移動局間でＨＴＴＰを用いた通信を遂行する無線通信方法および無線通信システムに利用することができる。
【図面の簡単な説明】
【００７６】
【図１】無線通信システムにおける各装置の接続関係を示した説明図である。
【図２】移動局のハードウェア構成を示した機能ブロック図である。
【図３】移動局の外観を示した斜視図である。
【図４】基地局の概略的な構成を示したブロック図である。
【図５】無線通信方法の処理の流れを示したシーケンス図である。
【図６】無線通信方法の他の処理の流れを示したシーケンス図である。
【図７】無線通信方法の他の処理の流れを示したシーケンス図である。
【符号の説明】
【００７７】
１００  …無線通信システム
１１０  …移動局
１１０Ｂ  …Ｗｅｂ移動局
１１０Ｃ  …認証移動局
１２０  …基地局
１８０  …接続要求部
１８２  …任意認証要求部
１８４  …任意通信確立部
１８６  …ＩＰアドレス取得部
１８８  …接続応答部
１９０  …Ｗｅｂ認証要求部
１９２  …Ｗｅｂ通信確立部
１９４  …任意認証部
１９６  …Ｗｅｂ認証部
【図１】
2009182380.tif 000003
【図２】
2009182380.tif 000004
【図３】
2009182380.tif 000005
【図４】
2009182380.tif 000006
【図５】
2009182380.tif 000007
【図６】
2009182380.tif 000008
【図７】
2009182380.tif 000009